(57)【要約】【課題】  印画時における印画ヘッドの印画面に対する圧力及び接触角度の安定化を図り良好な印画状態を確保する。【解決手段】  印画面１０２を有するディスク状記録媒体１００に対して情報信号の記録又は再生を行う記録再生ユニット７と、ディスク状記録媒体の印画面に印画を行う印画ユニット１３とを設け、印画ユニットには、ディスク状記録媒体の印画面に対する印画時に印画面に押し付けられる印画ヘッド６５と、印画ヘッドが取り付けられディスク状記録媒体の印画面に沿って移動されるヘッド送り部４３と、ヘッド送り部を移動時に案内するガイド軸３１、３２とが設けられ、印画面に対する印画時に印画ヘッドが印画面に押し付けられたときにディスク状記録媒体が撓んで印画面が傾斜された状態とされ、ガイド軸が印画面の傾斜された状態に応じて傾斜して配置された。【選択図】        図２９
2012108975.tif 000002
【特許請求の範囲】
【請求項１】
印画面を有するディスク状記録媒体に対して情報信号の記録又は再生を行う記録再生ユニットと、
前記ディスク状記録媒体の印画面に印画を行う印画ユニットとを備え、
前記印画ユニットには、
前記ディスク状記録媒体の印画面に対する印画時に前記印画面に押し付けられる印画ヘッドと、
前記印画ヘッドが取り付けられ前記ディスク状記録媒体の印画面に沿って移動されるヘッド送り部と、
前記ヘッド送り部を移動時に案内するガイド部材とが設けられ、
前記印画面に対する印画時に前記印画ヘッドが前記印画面に押し付けられたときに前記ディスク状記録媒体が撓んで前記印画面が傾斜された状態とされ、
前記ガイド部材が前記印画面の傾斜された状態に応じて傾斜して配置された
ディスク駆動装置。
【請求項２】
前記印画ヘッドの接触位置に応じて傾斜状態が変化される前記印画面と前記ガイド部材の距離が略一定にされた
請求項１に記載のディスク駆動装置。
【請求項３】
前記ヘッド送り部に、
前記ガイド部材に移動自在に支持される支持ベースと、
前記支持ベースに取り付けられ前記ディスク状記録媒体の印画面に沿って前記ガイド部材に直交する状態で取り付けられた回動用支持軸と、
前記回動用支持軸に軸回り方向へ回動自在に支持され前記印画ヘッドが取り付けられたヘッド保持レバーとを設けた
請求項１に記載のディスク駆動装置。
【請求項４】
前記印画ヘッドが前記印画面に押し付けられる回動方向へ前記ヘッド保持レバーを付勢する押付バネを設けた
請求項３に記載のディスク駆動装置。
【請求項５】
前記ディスク状記録媒体の記録面に対向して位置されたベース面を有し前記印画ヘッドが前記印画面に押し付けられたときに前記ディスク状記録媒体が押し付けられる配置ベースを設けた
請求項１に記載のディスク駆動装置。
【請求項６】
前記ベース面に前記ディスク状記録媒体が接触されるクッション部材を貼り付けた
請求項５に記載のディスク駆動装置。
【発明の詳細な説明】
【技術分野】
【０００１】
本発明はディスク駆動装置についての技術分野に関する。詳しくは、ガイド部材を印画面の傾斜状態に対応して傾斜させて良好な印画状態を確保する技術分野に関する。
【背景技術】
【０００２】
近年のデジタル技術の進歩に伴って音声情報や画像情報の記録や再生を行うための記録媒体としてＣＤ（Compact Disc）、ＤＶＤ（Digital Versatile Disc）、ＢＤ（Blu-ray Disc）等の各種のディスク状記録媒体が普及されている。
【０００３】
このようなディスク状記録媒体においては、音声情報や画像情報の記録や再生を行う他、記録された情報の内容等を表面に印画する要求が高く、一方の面が印画面として形成されたディスク状記録媒体がある。
【０００４】
印画面に記録された情報の内容等を印画することにより、使用者にとっては記録された情報を把握して所望のディスク状記録媒体を容易に特定することが可能となり、使い勝手の向上が図られる。
【０００５】
ディスク状記録媒体に対する情報信号の記録又は再生を行うディスク駆動装置には、ディスク状記録媒体の記録面に対して記録又は再生を行う記録再生ユニットとディスク状記録媒体の印画面に対して印画を行う印画ユニットとが設けられたものがある（例えば、特許文献１参照）。
【０００６】
このような印画ユニットが設けられたディスク駆動装置においては、一方の面が印画面とされ他方の面が記録面とされたディスク状記録媒体が装着され、記録面に対して光ピックアップ等を有する記録再生ユニットによって情報信号の記録又は再生が行われ、印画面に対して印画ヘッドを有する印画ユニットによって印画が行われる。
【０００７】
光ピックアップ等を有する記録再生ユニットは記録面に沿って光ピックアップを移動させて情報信号の記録又は再生を行うために、記録面に対向する側に配置されている。また、印画ヘッドを有する印画ユニットは印画面に沿って印画ヘッドを移動させて印画を行うために、印画面に対向する側に配置されている。
【０００８】
従って、記録再生ユニットと印画ユニットはディスクテーブルに装着されるディスク状記録媒体を挟んでディスク状記録媒体の厚み方向における反対側に配置されている。
【０００９】
印画の方式としては各種の方式が存在するが、インクジェットプリント方式による印画ユニットを上記のようなディスク駆動装置に用いた場合には、インクミストがディスク駆動装置の内部に飛散してディスク状記録媒体やディスク駆動装置の内部に配置された各部を汚染するおそれがある。
【００１０】
従って、上記のようなディスク駆動装置に用いる印画の方式としては、各部の汚染を生じないために、印画面に印画ヘッドを押し当てて熱により印画を行うサーマルヘッド等を用いた熱転写方式が好ましい。
【００１１】
【特許文献１】特開２００６−１１４１９４号公報
【発明の開示】
【発明が解決しようとする課題】
【００１２】
ところで、ディスク駆動装置においては、ディスクテーブルに装着されたディスク状記録媒体の円滑な回転状態を確保するために、ディスク状記録媒体の記録面と記録面に対向して配置された部材との間に所定の隙間が形成されており、ディスク状記録媒体は記録面がディスク駆動装置の何れの部分にも接触しない状態で回転される。
【００１３】
従って、印画ヘッドとして熱により印画を行うサーマルヘッドを用いた場合には、ディスク状記録媒体の印画面に対して印画ヘッドが押し付けられるため、ディスク状記録媒体が撓んで印画面が傾斜された状態とされ、この傾斜された状態において印画ヘッドが印画面に摺動されて印画が行われる。
【００１４】
このように印画ヘッドは撓んだ状態にされているディスク状記録媒体の印画面に摺動されるため、印画ヘッドの印画面に対する圧力及び接触角度がディスク状記録媒体の撓んだ状態に応じて変化してしまい、良好な印画状態を確保することができないおそれがある。
【００１５】
そこで、本発明ディスク駆動装置は、上記した問題点を克服し、印画時における印画ヘッドの印画面に対する圧力及び接触角度の安定化を図り良好な印画状態を確保することを課題とする。
【課題を解決するための手段】
【００１６】
ディスク駆動装置は、上記した課題を解決するために、印画面を有するディスク状記録媒体に対して情報信号の記録又は再生を行う記録再生ユニットと、前記ディスク状記録媒体の印画面に印画を行う印画ユニットとを備え、前記印画ユニットには、前記ディスク状記録媒体の印画面に対する印画時に前記印画面に押し付けられる印画ヘッドと、前記印画ヘッドが取り付けられ前記ディスク状記録媒体の印画面に沿って移動されるヘッド送り部と、前記ヘッド送り部を移動時に案内するガイド部材とが設けられ、前記印画面に対する印画時に前記印画ヘッドが前記印画面に押し付けられたときに前記ディスク状記録媒体が撓んで前記印画面が傾斜された状態とされ、前記ガイド部材が前記印画面の傾斜された状態に応じて傾斜して配置されたものである。
【００１７】
従って、ディスク駆動装置にあっては、印画時における印画ヘッドの印画面に対する圧力及び接触角度の変化が低減する。
【００１８】
上記したディスク駆動装置においては、前記印画ヘッドの接触位置に応じて傾斜状態が変化される前記印画面と前記ガイド部材の距離が略一定にされることが望ましい。
【００１９】
印画ヘッドの接触位置に応じて傾斜状態が変化される印画面とガイド部材の距離が略一定にされることにより、印画ヘッドの印画面に対する圧力及び接触角度が略一定になる。
【００２０】
上記したディスク駆動装置においては、前記ヘッド送り部に、前記ガイド部材に移動自在に支持される支持ベースと、前記支持ベースに取り付けられ前記ディスク状記録媒体の印画面に沿って前記ガイド部材に直交する状態で取り付けられた回動用支持軸と、前記回動用支持軸に軸回り方向へ回動自在に支持され前記印画ヘッドが取り付けられたヘッド保持レバーとを設けることが望ましい。
【００２１】
ヘッド送り部に支持ベースと回動用支持軸と印画ヘッドが取り付けられたヘッド保持レバーとを設けることにより、印画ヘッドが印画面に対して摺接されているときにディスク状記録媒体の撓んだ状態の変化等に応じてヘッド保持レバーが回動される。
【００２２】
上記したディスク駆動装置においては、前記印画ヘッドが前記印画面に押し付けられる回動方向へ前記ヘッド保持レバーを付勢する押付バネを設けることが望ましい。
【００２３】
印画ヘッドが印画面に押し付けられる回動方向へヘッド保持レバーを付勢する押付バネを設けることにより、押付バネによって印画ヘッドの印画面に対する押付力が吸収される。
【００２４】
上記したディスク駆動装置においては、前記ディスク状記録媒体の記録面に対向して位置されたベース面を有し前記印画ヘッドが前記印画面に押し付けられたときに前記ディスク状記録媒体が押し付けられる配置ベースを設けることが望ましい。
【００２５】
ベース面を有し印画ヘッドが印画面に押し付けられたときにディスク状記録媒体が押し付けられる配置ベースを設けることにより、配置ベースのベース面によってディスク状記録媒体の撓みが規制されると共に撓み状態が安定化する。
【００２６】
上記したディスク駆動装置においては、前記ベース面に前記ディスク状記録媒体が接触されるクッション部材を貼り付けることが望ましい。
【００２７】
ベース面にディスク状記録媒体が接触されるクッション部材を貼り付けることにより、ディスク状記録媒体がクッション部材に接触されるときの衝撃力がクッション部材によって吸収される。
【発明の効果】
【００２８】
本発明ディスク駆動装置は、印画面を有するディスク状記録媒体に対して情報信号の記録又は再生を行う記録再生ユニットと、前記ディスク状記録媒体の印画面に印画を行う印画ユニットとを備え、前記印画ユニットには、前記ディスク状記録媒体の印画面に対する印画時に前記印画面に押し付けられる印画ヘッドと、前記印画ヘッドが取り付けられ前記ディスク状記録媒体の印画面に沿って移動されるヘッド送り部と、前記ヘッド送り部を移動時に案内するガイド部材とが設けられ、前記印画面に対する印画時に前記印画ヘッドが前記印画面に押し付けられたときに前記ディスク状記録媒体が撓んで前記印画面が傾斜された状態とされ、前記ガイド部材が前記印画面の傾斜された状態に応じて傾斜して配置されている。
【００２９】
従って、印画時における印画ヘッドの印画面に対する圧力及び接触角度の安定化を図ることができ、印画面に対する良好な印画状態を確保することができる。
【００３０】
請求項２に記載した発明にあっては、前記印画ヘッドの接触位置に応じて傾斜状態が変化される前記印画面と前記ガイド部材の距離が略一定にされている。
【００３１】
従って、印画ヘッドの印画面に対する圧力及び接触角度を略一定にすることができ、良好な印画状態を確保することができる。
【００３２】
請求項３に記載した発明にあっては、前記ヘッド送り部に、前記ガイド部材に移動自在に支持される支持ベースと、前記支持ベースに取り付けられ前記ディスク状記録媒体の印画面に沿って前記ガイド部材に直交する状態で取り付けられた回動用支持軸と、前記回動用支持軸に軸回り方向へ回動自在に支持され前記印画ヘッドが取り付けられたヘッド保持レバーとを設けている。
【００３３】
従って、ディスク状記録媒体の印画面に対する印画ヘッドの接触角度がディスク状記録媒体の撓んだ状態の変化等に応じて変化され、印画ヘッドの印画面に対する接触角度が安定化されて印画面に対する良好な印画状態を確保することができる。
【００３４】
請求項４に記載した発明にあっては、前記印画ヘッドが前記印画面に押し付けられる回動方向へ前記ヘッド保持レバーを付勢する押付バネを設けている。
【００３５】
従って、押付バネによって印画ヘッドの印画面に対する押付力が吸収され、印画ヘッドの印画面に対する適正な圧力を維持することができる。
【００３６】
請求項５に記載した発明にあっては、前記ディスク状記録媒体の記録面に対向して位置されたベース面を有し前記印画ヘッドが前記印画面に押し付けられたときに前記ディスク状記録媒体が押し付けられる配置ベースを設けている。
【００３７】
従って、配置ベースのベース面によってディスク状記録媒体の撓みが規制されると共に撓み状態が安定化して印画ヘッドによる印画面に対する良好な印画状態を確保することができる。
【００３８】
請求項６に記載した発明にあっては、前記ベース面に前記ディスク状記録媒体が接触されるクッション部材を貼り付けている。
【００３９】
従って、ディスク状記録媒体の傷付きを防止することができる。
【発明を実施するための最良の形態】
【００４０】
以下に、本発明ディスク駆動装置の実施の形態を添付図面に従って説明する。
【００４１】
以下の説明にあっては、ディスク状記録媒体の厚み方向を上下方向として前後上下左右の方向を示すものとする。
【００４２】
尚、以下に示す前後上下左右の方向は説明の便宜上のものであり、本発明の実施に関しては、これらの方向に限定されることはない。
【００４３】
［ディスク駆動装置の構成］
ディスク駆動装置１は外筐２の内部に所要の各部が配置されて成る（図１乃至図３参照）。
【００４４】
外筐２は前後左右の長さに比して上下の長さが短い扁平な箱状に形成され、前面部３の下半部にトレイ挿脱口３ａを有している。
【００４５】
ディスク駆動装置１にはディスクトレイ４が設けられ、ディスクトレイ４は前後方向へ移動されてトレイ挿脱口３ａを介して外筐２から引き出され又は外筐２の内部に収納される。ディスクトレイ４はトレイ本体５とトレイ本体５の前面に取り付けられた横長のフロントパネル６とを有している。
【００４６】
トレイ本体５には上方に開口されたディスク装填用凹部５ａが形成されている。トレイ本体５には上下に貫通された配置孔５ｂが形成されている。
【００４７】
トレイ本体５の配置孔５ｂには記録再生ユニット７が配置されている。記録再生ユニット７はピックアップベース８とピックアップベース８に取り付けられたディスクテーブル９とピックアップベース８に移動自在に支持された光ピックアップ１０とを有している。
【００４８】
記録再生ユニット７は上下方向へ移動可能とされている。ディスクテーブル９は図示しないスピンドルモーターによって回転され、記録再生ユニット７が下方の移動端に位置された状態においてはディスク用凹部５ａの下方に位置され、記録再生ユニット７が上方の移動端に位置された状態においてはディスク用凹部５ａの上方に位置される。
【００４９】
フロントパネル６は右端部がトレイ本体５より右方に位置されている。フロントパネル６には操作釦６ａが配置されている。ディスクトレイ４が外筐２の内部に収納された状態において操作釦６ａが操作されると、ディスクトレイ４が前方へ移動されて外筐２から引き出されトレイ本体５の装填用凹部５ａにディスク状記録媒体１００を装填することが可能となる。トレイ本体５の装填用凹部５ａにディスク状記録媒体１００が装填された状態においては、ディスク状記録媒体１００の一部（右端部）がトレイ本体５から右方へ突出される。
【００５０】
外筐２から引き出されたトレイ本体５の装填用凹部５ａにディスク状記録媒体１００が装填された状態において操作釦６ａが操作されると、ディスクトレイ４が後方へ移動されて外筐２の内部に収納される。ディスクトレイ４が外筐２の内部に収納されると、記録再生ユニット７が上昇されてディスクテーブル９がディスク状記録媒体１００の中心孔１００ａに下方から挿入され、ディスク状記録媒体１００がディスクテーブル９に装着される。
【００５１】
ディスク状記録媒体１００がディスクテーブル９に装着された状態においては、ディスク状記録媒体１００がトレイ本体５から上方に離隔して位置される。
【００５２】
ディスク状記録媒体１００は、下面が情報信号の記録が行われる記録面１０１として形成され、上面が印画が行われる印画面１０２として形成されている。印画面１０２は、例えば、ディスク状記録媒体１００の表面に感熱紙が貼り付けられたり印画ヘッド（サーマルヘッド）によって印画が可能な塗料が塗布されることにより形成されている。
【００５３】
ディスク状記録媒体１００がディスクテーブル９に装着された状態において操作釦６ａが操作されると、記録再生ユニット７が下降されてディスクテーブル９がディスク装填用凹部５ａの下方に移動され、このときディスク状記録媒体１００が装填用凹部５ａに載置されることによりディスクテーブル９に対するディスク状記録媒体１００の装着が解除される。続いて、ディスクトレイ４が前方へ移動されて外筐２から引き出され装填用凹部５ａからディスク状記録媒体１００を取り出すことが可能となる。
【００５４】
尚、上記には、記録再生ユニット７が上下方向へ移動されてディスクテーブル９に対するディスク状記録媒体１００の装着及びその解除が行われる例を示したが、例えば、記録再生ユニット７が上下方向へ移動されない構成とされていてもよい。この場合には、予めディスクテーブルがディスクトレイから上方に突出されており、外筐からディスクトレイが引き出された状態で使用者がディスク状記録媒体のディスクテーブルに対する装着及びその解除を行う。
【００５５】
外筐２の内部における右端部には配置ベース１１が配置されている（図３参照）。配置ベース１１は前後に長い形状に形成され、外筐２の内部にディスクトレイ４が収納された状態においてディスクトレイ４の右方に位置される。配置ベース１１は上面がベース面１１ａとして形成されている。ベース面１１ａの一部には、例えば、ゴム材料やフエルト材料等によって形成されたクッション部材１２が貼り付けられている。
【００５６】
外筐２の内部には記録再生ユニット７の上側に印画ユニット１３が配置されている（図２及び図３参照）。
【００５７】
印画ユニット１３は支持ベース１４に所要の部材が支持又は取り付けられて成る（図４乃至図８参照）。
【００５８】
支持ベース１４は外筐２の内部における上端側に固定されている。
【００５９】
支持ベース１４は、上下方向を向くベース部１５と、ベース部１５から後方へ突出されたギヤ支持部１６と、ベース部１５からそれぞれ下方へ突出された軸取付部１７、１７、１８、１８と、ベース部１５から下方へ突出されたセンサー取付部１９と、ギヤ支持部１６からそれぞれ下方へ突出されたモーター取付部２０、２１とを有している。
【００６０】
ギヤ支持部１６はベース部１５の左右方向における中央部から後方へ突出されている。
【００６１】
軸取付部１７、１７はそれぞれベース部１５の左右両側縁における前端寄りの位置から下方へ突出され、軸取付部１８、１８はそれぞれベース部１５の左右両側縁における後端寄りの位置から下方へ突出されている。
【００６２】
センサー取付部１９はベース部１５の後縁における左端寄りの位置から下方へ突出された連結面部１９ａと連結面部１９ａの下縁から前方へ突出された取付面部１９ｂとから成る。
【００６３】
モーター取付部２０はギヤ支持部１６の後縁から下方へ突出され、モーター取付部２１はギヤ支持部１６の右側縁から下方へ突出されている。モーター取付部２０、２１にはそれぞれ挿通孔２０ａ、２１ａが形成されている。
【００６４】
支持ベース１４のベース部１５の下面には右端側に案内カム２２が取り付けられている（図９参照）。案内カム２２は左右に延びる形状に形成され、上下方向を向く板状に形成された被取付面部２３と被取付面部２３から下方へ突出され前後方向を向く板状に形成されたカムガイド部２４とから成る。カムガイド部２４は左右に延び、カムガイド部２４の右端部が第１の作用部２４ａとして設けられ、第１の作用部２４ａと第１の作用部２４ａの左端に連続された第２の作用部２４ｂとから成る。第２の作用部２４ｂは第１の作用部２４ａより下方への突出量が大きくされ、第１の作用部２４ａは第２の作用部２４ｂに近付くに従って下方への突出量が大きくなるように形成されている。
【００６５】
ベース部１５の下面には右端部における案内カム２２の直ぐ後側に戻しカム２５が取り付けられている。戻しカム２５は上側案内部２６と下側案内部２７とから成り、上側案内部２６と下側案内部２７にはそれぞれ右方へ行くに従って前方へ変位するように傾斜された案内面２６ａ、２７ａが形成されている。
【００６６】
支持ベース１４のギヤ支持部１６にはそれぞれ伝達ギヤ２８と送りギヤ２９と段付ギヤ３０とが回転自在に支持されている。
【００６７】
伝達ギヤ２８と送りギヤ２９はギヤ支持部１６の左端部において後方側から順に位置され、ギヤ支持部１６の下面側に位置されている。伝達ギヤ２８は小径部２８ａと大径部２８ｂとから成る。送りギヤ２９はギヤ部２９ａとギヤ部２９ａの下面に設けられた作用部２９ｂとから成り、作用部２９ｂがギヤ部２９ａから下方へ突出された状態でギヤ部２９ａの中心部から外周部に亘る部分に設けられている。伝達ギヤ２８の小径部２８ａと送りギヤ２９のギヤ部２９ａとは噛合されている。
【００６８】
段付ギヤ３０はギヤ支持部１６の右端部における下面側に位置され、大径部３０ａと小径部３０ｂとから成る。
【００６９】
支持ベース１４の軸取付部１７、１７間と軸取付部１８、１８間とにはそれぞれガイド部材として機能するガイド軸３１、３２が取り付けられている（図４乃至図８参照）。ガイド軸３１、３２は平行な状態で左右に延びるように配置され、右端部が左端部より稍下方に位置するように右下がりに傾斜した状態とされている（図５及び図７参照）。
【００７０】
尚、外筐２に対して支持ベース１４が右下がりに傾斜した状態で固定されることによりガイド軸３１、３２が右下がりに傾斜されていてもよく、また、支持ベース１４に対してガイド軸３１、３２が右下がりに傾斜された状態で取り付けられることによりガイド軸３１、３２が右下がりに傾斜されていてもよい。
【００７１】
以下の各図には、例として、外筐２に対して支持ベース１４が右下がりに傾斜した状態で固定されることによりガイド軸３１、３２が右下がりに傾斜されている状態を示す。
【００７２】
支持ベース１４におけるセンサー取付部１９の取付面部１９ｂには位置検出センサー３３が取り付けられている。
【００７３】
支持ベース１４のモーター取付部２０には後面に駆動モーター３４が取り付けられている（図４乃至図８参照）。駆動モーター３４のモーター軸３４ａにはウォーム３５が固定されている。ウォーム３５は挿通孔２０ａを挿通されてモーター取付部２０の前方に位置され、伝達ギヤ２８の大径部２８ｂに噛合されている。
【００７４】
支持ベース１４のモーター取付部２１には右側面に回転用モーター３６が取り付けられている。回転用モーター３６のモーター軸３６ａにはウォーム３７が固定されている。ウォーム３７は挿通孔２１ａを挿通されてモーター取付部２１の左方に位置され、段付ギヤ３０の小径部３０ｂに噛合されている。
【００７５】
支持ベース１４のベース部１５には後端部に作動レバー３８が回動自在に支持されている。作動レバー３８は略左右に延びる形状に形成され、左右方向における略中央部が回動支点とされている。作動レバー３８の左端寄りの位置には上方へ突出された被作用突部３８ａが設けられ、被作用突部３８ａは送りギヤ２９の規制部２９ｂに係合可能とされている。
【００７６】
作動レバー３８の回動支点には中間ギヤ３９が回転自在に支持されている。中間ギヤ３９は小径部３９ａと大径部３９ｂから成る。中間ギヤ３９は小径部３９ａが段付ギヤ３０の大径部３０ａに噛合されている。
【００７７】
作動レバー３８には中間ギヤ３９の左方に従動ギヤ４０とディスク状記録媒体１００の回転を規制する規制部材として機能するローラー４１とが同軸上に回転自在に支持され、従動ギヤ４０とローラー４１は一体になって回転される。従動ギヤ４０は作動レバー３８の上面側に位置されローラー４１は作動レバー３８の下面側に位置されている。従動ギヤ４０は中間ギヤ３９の大径部３９ｂに噛合されている。
【００７８】
従って、回転用モーター３６が回転されると、その駆動力が順にウォーム３７、段付ギヤ３０及び中間ギヤ３９に伝達され、従動ギヤ４０とローラー４１が一体になって回転される。
【００７９】
作動レバー３８は右端部と図示しないバネ取付部との間に支持された引張コイルバネ４２によって右端部が略後方へ移動する回動方向へ付勢されている。
【００８０】
ガイド軸３１、３２にはヘッド送り部４３が摺動自在に支持されている。ヘッド送り部４３は、図４及び図１０に示すように、送りベース４４と送りベース４４に回動自在に支持されたカム支持レバー４５と支持レバー４５に回動自在に支持されたヘッド保持レバー４６とを有している。
【００８１】
送りベース４４はベース板４７とベース板４７の前端部に取り付けられた軸受部材４８とベース板４７の後端部に取り付けられた結合部材４９とから成る。
【００８２】
ベース板４７は上下方向を向く基面部５０と基面部５０の前後両側縁からそれぞれ上方へ突出された側面部５１、５２とを有している。側面部５１、５２の右端寄りの位置にはそれぞれ支持部５１ａ、５２ａが設けられている。
【００８３】
軸受部材４８は基面部５０の上面における前端部に取り付けられ、軸受部４８ａを有している。
【００８４】
結合部材４９は左右に延びる被取付部５３と被取付部５３の上端部から後方へ突出されたラック部５４とから成る。被取付部５３には左右両端部にそれぞれ軸受部５３ａ、５３ａが設けられている。ラック部５４の後端部はラック５４ａとして形成されている。ラック部５４の後端部における下面には下方へ突出された検出用突部５４ｂ、５４ｂが設けられ、検出用突部５４ｂ、５４ｂは左右両端部に設けられている。
【００８５】
カム支持レバー４５は上下方向を向くベース板部５５とベース板部５５の前後両端部からそれぞれ右方へ突出された突板部５６、５６とを有している。
【００８６】
ベース板部５５の前後両端部にはそれぞれ下方へ突出された被支持片部５５ａ、５５ａが設けられている。
【００８７】
突板部５６、５６には、内縁にそれぞれ下方へ突出されたカム支持片部５６ａ、５６ａが設けられ、外縁にそれぞれ下方へ突出された支持片部５６ｂ、５６ｂが設けられている。支持片部５６ｂ、５６ｂはそれぞれ被支持片部５５ａ、５５ａより外側に位置されている。
【００８８】
カム支持レバー４５は送りベース４４に回動自在に支持されている。送りベース４４の支持部５１ａ、５１ａ間には前後に延びる回動用支持軸５７が取り付けられ、回動用支持軸５７が被支持片部５５ａ、５５ａに挿入されてカム支持レバー４５が送りベース４４に支持されている。従って、カム支持レバー４５は回動用支持軸５７を支点として送りベース４４に対して回動可能とされている。
【００８９】
回動用支持軸５７の前後両端部にはそれぞれバネ部材５８、５８が支持され、バネ部材５８、５８としては、例えば、捩じりコイルバネが用いられている。カム支持レバー４５はバネ部材５８、５８によって突板部５６、５６が略上方へ移動する回動方向へ付勢されている。
【００９０】
突板部５６、５６のカム支持片部５６ａ、５６ａ間には前後に延びるカム支持軸５９が取り付けられ、カム支持軸５９に移動カム６０が軸回り方向へ回転自在かつ軸方向へ移動自在に支持されている。
【００９１】
移動カム６０は周方向に延びる溝状に形成された往路用カム係合部６０ａと周方向に延びる溝状に形成され往路用カム係合部６０ａより径の小さい復路用カム係合部６０ｂとを有し、往路用カム係合部６０ａと復路用カム係合部６０ｂは前後に離隔して位置されている。上記したように、カム支持レバー４５はバネ部材５８、５８によって突板部５６、５６が略上方へ移動する回動方向へ付勢されているため、カム支持片部５６ａ、５６ａ間に位置された移動カム６０はバネ部材５８、５８によって略上方へ付勢されている。
【００９２】
カム支持軸５９には移動カム６０の前側に付勢バネ６１が支持され、付勢バネ６１としては、例えば、圧縮コイルバネが用いられている。移動カム６０は付勢バネ６１によって後方へ付勢されている。
【００９３】
ヘッド保持レバー４６は上下方向を向く基部６２と基部６２の右側縁から右斜め稍上方へ突出されたヘッド取付部６３とヘッド取付部６３の前後両側縁からそれぞれ上方へ突出された被支持部６４、６４とを有している。ヘッド取付部６３の下面には印画ヘッド６５が取り付けられている。印画ヘッド６５としては、例えば、サーマルヘッドが用いられている。
【００９４】
ヘッド保持レバー４６はカム支持レバー４５に回動自在に支持されている。カム支持レバー４５の支持片部５６ｂ、５６ｂにはそれぞれ前後に延びる支点軸６６、６６が取り付けられ、支点軸６６、６６が被支持部６４、６４に挿入されヘッド保持レバー４６がカム支持レバー４５に支持されている。従って、ヘッド保持レバー４６は支点軸６６、６６を支点としてカム支持レバー４５に対して回動可能とされている。
【００９５】
カム支持レバー４５の突板部５６、５６とヘッド保持レバー４６のヘッド取付部６３との間には前後に離隔して押付バネ６７、６７が支持され、押付バネ６７、６７としては、例えば、圧縮コイルバネが用いられている。ヘッド保持レバー４６は押付バネ６７、６７によってヘッド取付部６３が略下方へ移動する回動方向へ付勢され、ヘッド取付部６３に取り付けられた印画ヘッド６５が略下方へ移動する方向へ付勢されている。
【００９６】
ヘッド送り部４３は軸受部材４８の軸受部４８ａと結合部材４９の軸受部５３ａ、５３ａとがそれぞれガイド軸３１、３２に摺動自在に支持され、ガイド軸３１、３２に案内されて左右方向へ移動可能とされている。このときガイド軸３１、３２は、上記したように、稍右下がりに傾斜した状態で配置されているため、ヘッド送り部５３は右方の移動端における位置が左方の移動端における位置より稍下方とされている。
【００９７】
結合部材４９のラック５４ａは支持ベース１４に支持された送りギヤ２９のギヤ部２９ａに噛合されている。従って、駆動モーター３４が回転されると、その駆動力が順にウォーム３５、伝達ギヤ２８、送りギヤ２９及び結合部材４９に伝達され、ヘッド送り部４３がガイド軸３１、３２に案内されて左右方向へ移動される。
【００９８】
ヘッド送り部４３は駆動モーター３４の駆動力によって右方側の移動端である初期位置と左方側の移動端である折返し位置との間で往復移動され、このとき印画ヘッド６５は右方側の移動端である第１の位置と左方側の移動端である第２の位置との間で往復移動される。
【００９９】
［印画ユニットの印画動作］
以下に、印画ユニット１３の印画動作について説明する（図１１乃至図２８参照）。
【０１００】
先ず、印画動作が行われる前の印画ユニット１３の初期状態（ホームポジション）について説明する（図１１乃至図１３参照）。
【０１０１】
初期状態においては送りギヤ２９が所定の位置に保持されており、作用部２９ｂが作動レバー３８の被作用突部３８ａに前方から係合され、作動レバー３８が引張コイルバネ４２の付勢力に抗して一方の回動端に保持されている。このとき作動レバー３８に支持されたローラー４１はディスク状記録媒体１００の外周面から後方に離隔しディスク状記録媒体１００の外周面に接触しない非接触位置に保持されている。
【０１０２】
ヘッド送り部４３は、初期状態において、右方の移動端である初期位置に保持されている。このとき移動カム６０は右方の移動端に保持され、往路用カム係合部６０ａが案内カム２２におけるカムガイド部２４の第１の作用部２４ａの右端部に係合されている。前後方向に移動可能とされている移動カム６０の往路用カム係合部６０ａがカムガイド部２４に係合されている位置は、前後方向の移動範囲における第１の係合位置とされ、移動カム６０の復路用カム係合部６０ｂがカムガイド部２４に係合される位置が第２の係合位置とされる。
【０１０３】
初期状態においては、ヘッド送り部４３の結合部材４９に設けられた一方の検出用突部５４ｂが位置検出センサー３３に対応して位置されており、位置検出センサー３３によってヘッド送り部４３が初期位置に存在することが検出される。
【０１０４】
初期状態においては、移動カム６０の往路用カム係合部６０ａがカムガイド部２４の第１の作用部２４ａに係合されているため、カム支持レバー４５に支持されているヘッド保持レバー４６は上下の移動範囲における上方側に位置されている。従って、ヘッド保持レバー４６に取り付けられた印画ヘッド６５がディスク状記録媒体１００の印画面１０２から上方に離隔して位置されている。
【０１０５】
上記した初期状態において、駆動モーター３４が一方向へ回転されると、ヘッド送り部４３が初期位置から折返し位置へ向けて左方へ移動されていき、往路の動作が開始される。
【０１０６】
駆動モーター３４が一方向へ回転されると、送りギヤ２９が回転されて作用部２９ｂが略前方へ移動されていく。作動レバー３８は引張コイルバネ４２の付勢力によって被作用突部３８ａが作用部２９ｂに追従されてローラー４１が略前方へ移動される方向へ回動され、ローラー４１がディスク状記録媒体１００の外周面に押し付けられて接触位置に至る（図１４参照）。従って、ディスク状記録媒体１００の回転がローラー４１によって規制される。
【０１０７】
移動カム６０はカム支持レバー４５がバネ部材５８、５８によって略上方へ移動される回動方向へ付勢されているため、往路用カム係合部６０ａがカムガイド部２４の第１の作用部２４ａに押し付けられた状態でカム支持軸５９に対して回転され、第１の作用部２４ａの左端部に係合される（図１５参照）。第１の作用部２４ａは、上記したように、第２の作用部２４ｂに近付くに従って下方への突出量が大きくなるように形成されているため、ヘッド送り部４３の左方への移動に伴って印画ヘッド６５が次第に下方へ移動されディスク状記録媒体１００の印画面１０２に近付いて行く。
【０１０８】
引き続き駆動モーター３４の回転によりヘッド送り部４３は左方へ移動されていき、送りギヤ２９が引き続き回転されて作用部２９ｂが作動レバー３８の被作用突部３８ａから離隔される（図１６参照）。従って、ローラー４１はディスク状記録媒体１００の外周面に押し付けられた状態が保持され、ディスク状記録媒体１００の回転がローラー４１によって規制された状態が保持される。
【０１０９】
移動カム６０は往路用カム係合部６０ａがカムガイド部２４の第２の作用部２４ｂの右端部に係合される（図１７参照）。従って、印画ヘッド６５が下方へ移動されてディスク状記録媒体１００の印画面１０２における外周部に接し、印画面１０２に対する印画ヘッド６５による印画が開始される。印画ヘッド６５が下方へ移動された状態においては、図１８に示すように、印画ヘッド６５がディスク状記録媒体１００の印画面１０２に上方から押し付けられてディスク状記録媒体１００が撓んだ状態とされ、ディスク状記録媒体１００の外縁が配置ベース１１のベース面１１ａに貼り付けられたクッション部材１２に押し付けられる。
【０１１０】
このようにディスク駆動装置１にあっては、ディスク状記録媒体１００の記録面１０１に対向して位置されたベース面１１ａを有する配置ベース１１が設けられている。
【０１１１】
従って、配置ベース１１のベース面１１ａによってディスク状記録媒体１００の撓みが規制されると共に撓み状態が安定化して印画ヘッド６５による印画面１０２に対する後述する印画時に良好な印画状態を確保することができる。
【０１１２】
また、配置ベース１１のベース面１１ａに、ディスク状記録媒体１００が撓んだときに接触されるクッション部材１２が貼り付けられているため、ディスク状記録媒体１００の傷付きを防止することができる。
【０１１３】
駆動モーター３４の回転により引き続きヘッド送り部４３は左方へ移動され、折返し位置まで移動される（図１９参照）。ヘッド送り部４３が左方の移動端まで移動されると、ヘッド送り部４３の結合部材４９に設けられた他方の検出用突部５４ｂが位置検出センサー３３に対応して位置され、位置検出センサー３３によってヘッド送り部４３が折返し位置に移動されたことが検出され、駆動モーター３４の回転が一旦停止される。
【０１１４】
ヘッド送り部４３が折返し位置まで移動されるときには、移動カム６０は往路用カム係合部６０ａがカムガイド部２４の第２の作用部２４ｂに押し付けられた状態で回転される。移動カム６０はヘッド送り部４３の折返し位置への移動に伴い左方の移動端に移動される（図２０参照）。この間、印画ヘッド６５はディスク状記録媒体１００の印画面１０２に摺接され、印画面１０２に対する印画ヘッド６５による印画が行われる。
【０１１５】
このとき各部の加工精度やディスク状記録媒体１００の撓んだ状態の変化等により印画ヘッド６５の印画面１０２に対する圧力が変化されるが、押付バネ６７、６７によって印画ヘッド６５の印画面１０２に対する押付力が吸収される。従って、印画ヘッド６５の印画面１０２に対する適正な圧力を維持することができる。
【０１１６】
また、ヘッド保持レバー４６が回動用支持軸５７の軸回り方向へ回動可能とされているため、印画ヘッド６５が印画面１０２に対して摺接されているときにディスク状記録媒体１００の撓んだ状態の変化等に応じてヘッド保持レバー４６が微少に回動される。
【０１１７】
従って、ディスク状記録媒体１００の印画面１０２に対する印画ヘッド６５の接触角度がディスク状記録媒体１００の撓んだ状態の追従され、印画ヘッド６５の印画面１０２に対する接触角度が安定化されて印画面１０２に対する良好な印画状態を確保することができる。
【０１１８】
ヘッド送り部４３が折返し位置に移動されたときには、移動カム６０の往路用カム係合部６０ａがカムガイド部２４の第２の作用部２４ｂから左方に移動されてカムガイド部２４との係合が解除される（図１９参照）。従って、移動カム６０は付勢バネ６１の付勢力によって後方へ移動されて第２の係合位置に保持され、復路用カム係合部６０ｂがカムガイド部２４の第２の作用部２４ｂの左方に位置される（図１９及び図２１参照）。
【０１１９】
ヘッド送り部４３が折返し位置に移動されたときには移動カム６０のカムガイド部２４に対する係合が解除されるため、バネ部材５８、５８の付勢力によってカム支持レバー４５とヘッド保持レバー４６が略上方へ移動され、印画ヘッド６５がディスク状記録媒体１００の印画面１０２から上方に離隔して位置され、印画面１０２に対する印画ヘッド６５による印画が終了する。
【０１２０】
上記したように、ヘッド送り部４３が折返し位置まで移動されたことが位置検出センサー３３によって検出されると、駆動モーター３４が逆回転され他方の方向へ回転される。
【０１２１】
駆動モーター３４の他方の方向への回転によりヘッド送り部４３は折返し位置から初期位置へ向けて右方へ移動されていき、復路の動作が開始される。復路においてはディスク状記録媒体１００の印画面１０２に対する印画ヘッド６５による印画が行われない非印画時の動作が行われる。
【０１２２】
ヘッド送り部４３が折返し位置から右方へ移動されていくときには、移動カム６０は復路用カム係合部６０ｂがカムガイド部２４の第２の作用部２４ｂに押し付けられた状態で回転される（図２２及び図２３参照）。このとき印画ヘッド６５はガイド軸３１、３２と印画面１０２の間において印画面１０２から上方に離隔する位置に保持された状態で右方へ向けて移動されていく。
【０１２３】
ヘッド送り部４３が右方へ移動され移動カム６０の復路用カム係合部６０ｂがカムガイド部２４の第２の作用部２４ｂから第１の作用部２４ａに亘って係合されたときには、移動カム６０の後端部が戻しカム２５の案内面２６ａと案内面２７ａに連続して摺動される（図２４参照）。従って、移動カム６０は右方へ移動されるに従って付勢バネ６１の付勢力に抗して前方へ移動されていく。
【０１２４】
駆動モーター３４の回転により引き続きヘッド送り部４３は右方へ移動されて初期位置に至る（図２５及び図２６参照）。ヘッド送り部４３が初期位置に移動されると、印画ヘッド６５は右方の移動端に保持される。また、ヘッド送り部４３が初期位置に移動される直前においては、移動カム６０は右方へ移動されるに従って戻しカム２５に摺動されて前方へ移動されていく。従って、ヘッド送り部４３が初期位置に移動されたときに、往路用カム係合部６０ａがカムガイド部２４の第１の作用部２４ａに係合されて第１の係合位置に至る。
【０１２５】
ヘッド送り部４３が右方の移動端まで移動されると、結合部材４９に設けられた一方の検出用突部５４ｂが位置検出センサー３３に対応して位置され、位置検出センサー３３によってヘッド送り部４３が初期位置に存在することが検出される。従って、駆動モーター３４の回転が一旦停止される。このとき送りギヤ２９によって作用部２９ｂが作動レバー３８の被作用突部３８ａに前方から係合されて被作用突部３８ａが後方へ押圧される。従って、作動レバー３８が引張コイルバネ４２の付勢力に抗して回動され、ローラー４１がディスク状記録媒体１００の外周面から後方に離隔されて非接触位置に移動されディスク状記録媒体１００の回転の規制が解除される。
【０１２６】
上記のように、ヘッド送り部４３が初期位置に戻って印画ヘッド６５が第１の位置に戻り、移動カム６０が第１の係合位置に戻り、作動レバー３８が回動されてローラー４１がディスク状記録媒体１００の外周面から離隔されて非接触位置に戻ることにより初期状態に戻る。
【０１２７】
上記した印画動作においては、ヘッド送り部４３によるディスク状記録媒体１００の半径の大きさに対応する距離の往復動作が行われており、ディスク状記録媒体１００の印画面１０２の約４分の１の領域内において印画が行われる。
【０１２８】
従って、ディスク状記録媒体１００の印画面１０２の他の約４分の１の領域内における印画を行う場合には、以下のような動作が行われる。
【０１２９】
上記した初期状態において、再び、駆動モーター３４が一方向へ回転され、ヘッド送り部４３が初期位置から折返し位置へ向けて左方へ移動されていく。
【０１３０】
駆動モーター３４が一方向へ回転されると、送りギヤ２９が回転されて作用部２９ｂが略前方へ移動されていく。作動レバー３８は引張コイルバネ４２の付勢力によって被作用突部３８ａが作用部２９ｂに追従されてローラー４１が略前方へ移動される方向へ回動され、ローラー４１がディスク状記録媒体１００の外周面に押し付けられる（図２７参照）。
【０１３１】
ローラー４１がディスク状記録媒体１００の外周面に押し付けられたところで駆動モーター３４の一方向への回転が一旦停止される。
【０１３２】
移動カム６０はヘッド送り部４３の左方への移動に伴って移動され、往路用カム係合部６０ａがカムガイド部２４の第１の作用部２４ａに押し付けられた状態で回転され、第１の作用部２４ａの左端部に係合される。
【０１３３】
このとき回転用モーター３６が回転され、ローラー４１が回転される。ローラー４１の回転によりディスクテーブル９に保持されているディスク状記録媒体１００が回転される（図２８参照）。ディスク状記録媒体１００が、例えば、９０°回転されたところで回転用モーター３６の回転が停止され、ディスク状記録媒体１００の回転が再びローラー４１によって規制される。
【０１３４】
回転用モーター３６の回転が停止されると駆動用モーター３４の一方向への回転が再開され、ヘッド送り部４３が再び折返し位置へ向けて左方へ移動されていく。従って、９０°回転される前に印画動作が行われて印刷２００が形成された領域とは異なる領域に対して、上記と同様の印画ヘッド６５によるディスク状記録媒体１００の印画面１０２に対する印画動作が行われる。
【０１３５】
上記した印画動作が行われるときには、上記したように、印画ヘッド６５がディスク状記録媒体１００の印画面１０２に上方から押し付けられてディスク状記録媒体１００が撓んだ状態とされ印画面１００が傾斜した状態とされる（図１８参照）。
【０１３６】
このときディスク駆動装置１にあっては、上記したように、ガイド軸３１、３２が稍右下がりに傾斜した状態で配置されているため、ヘッド送り部５３が初期位置から折返し位置へ向かうに従って上方へ変位する経路で移動される。従って、ヘッド送り部４３の経路が印画面１０２の傾斜状態に対応する。
【０１３７】
このようにヘッド送り部４３の経路が印画面１０２の傾斜状態に対応するため、印画時における印画ヘッド６５の印画面１０２に対する接触角度のバラツキが小さくなる（図２９参照）。
【０１３８】
図２９は、ディスク駆動装置１において、ディスク状記録媒体１００が撓んだ状態において、印画面１０２に摺接する印画ヘッド６５の印画面１０２に対する接触角度を示す図である。ヘッド送り部４３が初期位置から折返し位置へ向けて移動される順に印画ヘッド６５をＡ、Ｂ、Ｃ、Ｄによって示している。
【０１３９】
一方、図３０は、ガイド軸が傾斜されず水平な状態とされているときに、ディスク状記録媒体１００が撓んだ状態において、印画面１０２に摺接する印画ヘッド６５の印画面１０２に対する接触角度を示す図である。図２９と同様に、初期位置から折返し位置へ向けて移動される順に印画ヘッド６５をＡ、Ｂ、Ｃ、Ｄによって示している。
【０１４０】
図２９及び図３０に示すように、ガイド軸３１、３２が印画面１０２の傾斜状態に対応して稍右下がりに傾斜した状態で配置された場合には、ガイド軸が水平な状態とされている場合に比し、印画時における印画ヘッド６５の印画面１０２に対する接触角度のバラツキが小さくなることが解る。
【０１４１】
また、ディスク駆動装置１にあっては、以下のように、印画ヘッド６５の接触位置に応じて傾斜状態が変化される印画面１０２とガイド軸３１、３２の距離を略一定にするように構成することも可能である（図３１参照）。
【０１４２】
印画時には、ディスク状記録媒体１００に対する印画ヘッド６５の位置に応じて印画面１０２の傾斜状態が変化される。例えば、ディスク状記録媒体１００の外周部に印画ヘッド６５が押し付けられた状態（図３１の上段参照）と、ディスク状記録媒体１００の中間部に印画ヘッド６５が押し付けられた状態（図３１の中段参照）と、ディスク状記録媒体１００の内周部に印画ヘッド６５が押し付けられた状態（図３１の下段参照）とでは、印画面１０２の傾斜角度が相違する。
【０１４３】
従って、予め、印画ヘッド６５の接触位置とこの接触位置における印画面１０２の傾斜角度をディスク状記録媒体１００の半径分について算出し、算出した傾斜角度と同じ傾斜角度になるようにガイド軸３１、３２を形成して配置することにより、印画面１０２とガイド軸３１、３２の距離を略一定にすることが可能である。
【０１４４】
このように印画ヘッド６５の接触位置に応じて傾斜状態が変化される印画面１０２とガイド軸３１、３２の距離を略一定にすることにより、印画ヘッド６５の印画面１０２に対する圧力及び接触角度を略一定にすることができ、良好な印画状態を確保することができる。
【０１４５】
［まとめ］
以上に記載した通り、ディスク駆動装置１にあっては、ガイド軸３１、３２が印画面１０２の傾斜された状態に応じて傾斜して配置されている。
【０１４６】
従って、印画時における印画ヘッド６５の印画面１０２に対する圧力及び接触角度の安定化を図ることができ、印画面１０２に対する良好な印画状態を確保することができる。
【０１４７】
尚、上記には、往路においてディスク状記録媒体１００の印画面１０２に対する印画ヘッド６５による印画が行われる例を示したが、逆に、復路においてディスク状記録媒体１００の印画面１０２に対する印画ヘッド６５による印画が行われるようにすることも可能である。
【０１４８】
但し、往路においてディスク状記録媒体１００の印画面１０２に対する印画ヘッド６５による印画を行うことにより、印画されたインクの乾燥を復路のヘッド送り部４３の移動中に行うことが可能である。
【０１４９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１５０】
【図１】図２乃至図３１と共に本発明ディスク駆動装置の実施の形態を示すものであり、本図は、ディスク駆動装置の斜視図である。
【図２】ディスク駆動装置をディスクトレイが引き出された状態でディスク状記録媒体とともに示す斜視図である。
【図３】ディスク駆動装置の内部構造を一部を断面にして示す概略平面図である。
【図４】印画ユニット等の分解斜視図である。
【図５】印画ユニットの斜視図である。
【図６】印画ユニットの平面図である。
【図７】印画ユニットの正面図である。
【図８】印画ユニットの側面図である。
【図９】支持ベースとこれに取り付けられた各部材とを示す背面図である。
【図１０】送りベースとカム支持レバーとヘッド保持レバーとこれらに支持された各部材とを示す斜視図である。
【図１１】図１２乃至図２８と共に印画ユニットの動作を示すためのものであり、本図は、初期状態を示す平面図である。
【図１２】初期状態を示す正面図である。
【図１３】初期状態を示す側面図である。
【図１４】初期状態からヘッド送り部が折返し位置へ向けて移動が開始された直後の状態を示す平面図である。
【図１５】初期状態からヘッド送り部が折返し位置へ向けて移動が開始された直後の状態を示す正面図である。
【図１６】図１４に引き続いてヘッド送り部が折返し位置へ向けて移動された状態を示す平面図である。
【図１７】図１５に引き続いてヘッド送り部が折返し位置へ向けて移動された状態を示す正面図である。
【図１８】ディスク状記録媒体の印画面に印画ヘッドが押し付けられた状態を示す概略正面図である。
【図１９】ヘッド送り部が折返し位置まで移動された状態を示す平面図である。
【図２０】ヘッド送り部が折返し位置まで移動された状態を示す正面図である。
【図２１】ヘッド送り部が折返し位置まで移動された状態を示す側面図である。
【図２２】ヘッド送り部が折返し位置から初期位置へ向けて移動されている途中の状態を示す平面図である。
【図２３】ヘッド送り部が折返し位置から初期位置へ向けて移動されている途中の状態を示す正面図である。
【図２４】移動カムが戻しカムに摺動されている状態を示す拡大平面図である。
【図２５】ヘッド送り部が初期位置まで移動された状態を示す平面図である。
【図２６】ヘッド送り部が初期位置まで移動された状態を示す正面図である。
【図２７】再び駆動モーターが回転されてローラーがディスク状記録媒体に接した状態を示す平面図である。
【図２８】ローラーの回転によりディスク状記録媒体が回転された状態を示す平面図である。
【図２９】印画時における印画ヘッドの印画面に対する接触状態を示す拡大側面図である。
【図３０】ガイド軸が水平な状態で配置されている場合の印画時における印画ヘッドの印画面に対する接触状態を示す拡大側面図である。
【図３１】印画面に対する印画ヘッドの位置に応じて印画面の傾斜角度が変化する状態を示す模式図である。
【符号の説明】
【０１５１】
１…ディスク駆動装置、７…記録再生ユニット、１１…配置ベース、１１ａ…ベース面、１２…クッション部材、１３…印画ユニット、１４…支持ベース、３１…ガイド軸（ガイド部材）、３２…ガイド軸（ガイド部材）、４３…ヘッド送り部、４６…ヘッド保持レバー、５７…回動用支持軸、６５…印画ヘッド、１００…ディスク状記録媒体、１０１…記録面、１０２…印画面
【図１】
2012108975.tif 000003
【図２】
2012108975.tif 000004
【図３】
2012108975.tif 000005
【図４】
2012108975.tif 000006
【図５】
2012108975.tif 000007
【図６】
2012108975.tif 000008
【図７】
2012108975.tif 000009
【図８】
2012108975.tif 000010
【図９】
2012108975.tif 000011
【図１０】
2012108975.tif 000012
【図１１】
2012108975.tif 000013
【図１２】
2012108975.tif 000014
【図１３】
2012108975.tif 000015
【図１４】
2012108975.tif 000016
【図１５】
2012108975.tif 000017
【図１６】
2012108975.tif 000018
【図１７】
2012108975.tif 000019
【図１８】
2012108975.tif 000020
【図１９】
2012108975.tif 000021
【図２０】
2012108975.tif 000022
【図２１】
2012108975.tif 000023
【図２２】
2012108975.tif 000024
【図２３】
2012108975.tif 000025
【図２４】
2012108975.tif 000026
【図２５】
2012108975.tif 000027
【図２６】
2012108975.tif 000028
【図２７】
2012108975.tif 000029
【図２８】
2012108975.tif 000030
【図２９】
2012108975.tif 000031
【図３０】
2012108975.tif 000032
【図３１】
2012108975.tif 000033